(57)【要約】【課題】  仕向地ごとの商用電源の電圧値の違いに柔軟に対応することできるファクシミリ装置を提供すること。【解決手段】  自装置が設置され得る各仕向地と、それら各仕向地で使用されている商用電源の電圧値とを対応付けて記憶した仕向地／電圧値対応テーブルと、仕向地を設定する仕向地設定手段と、その仕向地設定手段により設定された仕向地を前記仕向地／電圧値対応テーブルと照合して対応する電圧値用のヒータ制御手順で前記商用電源から前記ヒータへの電力供給を制御するヒータ制御手段とを備えたことを特徴とする。【選択図】      図１
2005137030.tif 000002
【特許請求の範囲】
【請求項１】
商用電源の電力が直接供給されるヒータを備えたファクシミリ装置において、
自装置が設置され得る各仕向地と、それら各仕向地で使用されている商用電源の電圧値とを対応付けて記憶した仕向地／電圧値対応テーブルと、仕向地を設定する仕向地設定手段と、その仕向地設定手段により設定された仕向地を前記仕向地／電圧値対応テーブルと照合して対応する電圧値用のヒータ制御手順で前記商用電源から前記ヒータへの電力供給を制御するヒータ制御手段とを備えたことを特徴とするファクシミリ装置。
【請求項２】
自装置が設置され得る各仕向地と、それら各仕向地における１２時間制または２４時間制の別を対応付けて記憶した仕向地／時間制対応テーブルと、前記仕向地設定手段により設定された仕向地を前記仕向地／時間制対応テーブルと照合して対応する時間制で時間制御を行う時間制御手段とを更に備えたことを特徴とする請求項１に記載のファクシミリ装置。
【請求項３】
自装置が設置され得る各仕向地と、それら各仕向地において選択可能な言語種とを対応付けて記憶した仕向地／言語種対応テーブルと、前記仕向地設定手段により設定された仕向地を前記仕向地／言語種対応テーブルと照合して対応する言語種のうちのいずれかを選択設定する言語設定手段と、その言語設定手段により設定された言語により言語制御を行う言語制御手段とを更に備えたことを特徴とする請求項１に記載のファクシミリ装置。
【発明の詳細な説明】
【技術分野】
【０００１】
本発明は、ファクシミリ装置し、特にヒータを備えたファクシミリ装置に関する。
【背景技術】
【０００２】
従来のファクシミリ装置におけるヒータ制御においては、特許文献１に見られるように、商用電源の電圧をハード的に検出して、検出した電圧に応じたヒータ制御を行うことで、仕向地によって１００Ｖであったり、２００Ｖであったりする商用電源の電圧値の違いにより生じる、商用電源からヒータへの電力供給量の変動に対応したものがあった。
【０００３】
しかし、商用電源の電圧をハード的に検出して、検出した電圧に応じたヒータ制御を行うためには、電圧検出のためのハードウェア構成が必要となり、コスト高となるため、各装置について、各装置の仕向地で使用されている商用電源の電圧値に対応したヒータ制御手順を書き込んだ個別内容のＲＯＭを装備することにより対応するのが一般的であった。
【特許文献１】特開平７−３２５４９４号公報
【発明の開示】
【発明が解決しようとする課題】
【０００４】
しかし、仕向地ごとに内容の異なるＲＯＭを用意する必要があるために、ＲＯＭ管理が煩雑で、仕向地の変更にも柔軟に対応することができないという問題点があった。
【０００５】
本発明は係る事情に鑑みてなされたものであり、仕向地ごとの商用電源の電圧値の違いに柔軟に対応することできるファクシミリ装置を提供することを目的とする。
【課題を解決するための手段】
【０００６】
上記目的を達成するため、請求項１記載のファクシミリ装置は、商用電源の電力が直接供給されるヒータを備えたファクシミリ装置において、自装置が設置され得る各仕向地と、それら各仕向地で使用されている商用電源の電圧値とを対応付けて記憶した仕向地／電圧値対応テーブルと、仕向地を設定する仕向地設定手段と、その仕向地設定手段により設定された仕向地を前記仕向地／電圧値対応テーブルと照合して対応する電圧値用のヒータ制御手順で前記商用電源から前記ヒータへの電力供給を制御するヒータ制御手段とを備えたことを特徴とする。
【０００７】
請求項２記載のファクシミリ装置は、請求項１に記載のファクシミリ装置において、自装置が設置され得る各仕向地と、それら各仕向地における１２時間制または２４時間制の別を対応付けて記憶した仕向地／時間制対応テーブルと、前記仕向地設定手段により設定された仕向地を前記仕向地／時間制対応テーブルと照合して対応する時間制で時間制御を行う時間制御手段とを更に備えたことを特徴とする。
【０００８】
請求項３記載のファクシミリ装置は、請求項１に記載のファクシミリ装置において、自装置が設置され得る各仕向地と、それら各仕向地において選択可能な言語種とを対応付けて記憶した仕向地／言語種対応テーブルと、前記仕向地設定手段により設定された仕向地を前記仕向地／言語種対応テーブルと照合して対応する言語種のうちのいずれかを選択設定する言語設定手段と、その言語設定手段により設定された言語により言語制御を行う言語制御手段とを更に備えたことを特徴とする。
【発明の効果】
【０００９】
請求項１に係る発明によれば、仕向地を設定することで、その設定された仕向地で使用されている商用電源電圧に最適なヒータ制御を行うことができるため、商用電源の電圧を検出するためのハードウェア構成も不要で、ヒータ制御手順を記したプログラム内容の異なるＲＯＭを仕向地ごとに用意する必要もなくなる。これにより、装置コストを低減できると共にＲＯＭ管理が容易になり、仕向地の変更にも柔軟に対応することが可能となる効果が得られる。
【００１０】
請求項２に係る発明によれば、仕向地を設定することで、その設定された仕向地において使用されている時間制により時間制御を行うことができるため、時間制御手順を記したプログラム内容の異なるＲＯＭを仕向地ごとに用意する必要がなくなる。これにより、装置コストを低減できると共にＲＯＭ管理が容易になり、仕向地の変更にも柔軟に対応することが可能となる効果が得られる。
【００１１】
請求項３係る発明によれば、仕向地を設定することで、その設定された仕向地において言語制御のために選択可能な言語種を設定できるため、選択可能な言語種を記した内容の異なるＲＯＭを仕向地ごとに用意する必要がなくなる。これにより、装置コストを低減できると共にＲＯＭ管理が容易になり、仕向地の変更にも柔軟に対応することが可能となる効果が得られる。
【発明を実施するための最良の形態】
【００１２】
以下、添付図面を参照しながら、本発明を実施するための最良の形態について説明する。
【００１３】
以下、添付図面を参照しながら、本発明を実施するための最良の形態を詳細に説明する。
【００１４】
先ず、図１は、本発明を実施するための最良の形態に係るファクシミリ装置１のブロック構成を示している。
【００１５】
同図において、ファクシミリ装置１は、システム制御部２、フラッシュＲＯＭ３、ＲＡＭ４、スキャナ５、プロッタ６、ＰＳＵ７、時計回路８、操作表示部９、画像メモリ１０、符号化復号化部１１、モデム１２、網制御部１３、及び、システムバス１４により構成されている。
【００１６】
システム制御部２は、フラッシュＲＯＭ３に書き込まれた制御プログラムに従って、ＲＡＭ４を作業領域として使用しながら、装置各部を制御するものである。
【００１７】
フラッシュＲＯＭ３は、前述したように、システム制御部２が上記装置各部を制御するための、制御プログラムや各種テーブルが記憶されている、電気的に書き換え可能なリードオンリメモリである。
【００１８】
フラッシュＲＯＭ３には、図２に示すように、本発明に係る記憶内容として、設定国コード３ａ、設定言語３ｂ、地域／国コード対応テーブル３ｃ、地域／ヒータ制御手順対応テーブル３ｄ、地域／選択可能言語対応テーブル３ｅ、及び、地域／時間制対応テーブル３ｆを記憶している。それらの記憶内容については、後述する。
【００１９】
ＲＡＭ４は、前述したようにシステム制御部２の作業領域として使用されるランダムアクセスメモリである。
【００２０】
スキャナ５は、３．８５本／ｍｍ、７．７本／ｍｍ、１５．４本／ｍｍ等の所定の読み取り線密度で原稿画像を読み取って画情報を得るためのものである。プロッタ６は、受信した画情報を、その線密度に応じて記録出力したり、スキャナ５で読み取った画情報を、その線密度に応じて記録出力（コピー動作）するためのものである。また、プロッタ６は、電子写真方式のものでもので、図示しない感光体ドラムから記録紙に転写されたトナー像を熱定着するためのヒータ６ａを備えている。そのヒータ６ａへは、ＰＳＵ７を介して商用電源からの電力が直接供給される。
【００２１】
ＰＳＵ７は、図示しない商用電源に接続され、ヒータ６ａ以外の装置構成に対しては、商用電源から図示しないスイッチングレキュレータにより変換した所定電圧の電力を供給する。ヒータ６ａ以外の装置構成に対する電力供給量は比較的少ないため、商用電源が仕向地ごとに１００Ｖ程度から２００Ｖ程度まで変化してもスイッチングレギュレータの出力電圧を一定に保てるが、ヒータ６ａへの電力供給量は比較的多いため、商用電源電圧の仕向地ごとの変化によらずヒータ６ａへ供給する電圧を一定化する回路を付加するのはコスト高となる。そのため、ヒータ６ａには、ＰＳＵ７の図示しないＯＮ／ＯＦＦ回路を介して商用電源電圧が直接供給される。
【００２２】
時計回路８は、現在時刻を計時するものであり、システム制御部２は、時計回路８を読み出すことで、現在時刻を知ることができる。
【００２３】
操作表示部９は、相手先ファクシミリ番号を指定するためのテンキー、送信スタートキー、ワンタッチダイヤルキー、及び、その他各種キーが配設される一方、液晶表示装置等の表示器を備え、ユーザに知らせるべき装置の動作状態や、各種メッセージを表示するものである。
【００２４】
図２に、本発明を実施するための最良の形態と直接関係する部分以外は、図示を省略した操作表示部９の配置構成例を示す。同図において、テンキー９ａは、送信相手先ファックス番号等を直接指定したりする際の番号入力のために用いられるものである。［Ｙｅｓ］キー９ｂ及び［Ｎｏ］キー９ｃは、ユーザに決定または取消の各種選択をさせるためのキーである。［ストップ］キー９ｄは、各種動作の強制的な停止を指示するためのものである。［スタート］キー９ｅは、ファクシミリ送信動作の開始や、コピー動作の開始を指示するためのものである。［ファンクション］キー９ｆは、ワンタッチダイヤルの登録機能、短縮ダイヤルの登録機能、ユーザパラメータの設定機能や、ファクシミリ装置１の標準的なファクシミリ装置としての機能以外の、時刻指定送信、部門コード指定送信、ポーリング受信等の拡張的な機能を呼び出すためのもので、この［ファンクション］キー９ｆを押下して、テンキー９ａにより、各機能に対応した番号を入力することで、各機能を呼び出して実行することができる。
【００２５】
カーソルキー群９ｇは、［下矢印］キー９ｇｄ、［左矢印］キー９ｇｌ、［右矢印］キー９ｇｒ、及び、［上矢印］キー９ｇｕにより構成されている。［下矢印］キー９ｇｄ及び［上矢印］キー９ｇｕは、各キーの押下に応じて、表示器９ｈの表示内容を変更したり、表示内容を上下にスクロールしたりするものである。また、［左矢印］キー９ｇｌ及び［右矢印］キー９ｇｒは、各キーの押下に応じて、表示器９ｈに表示された項目や機能等を選択するものである。表示器９ｈは、ユーザに知らせるべき装置の動作状態や、各種メッセージを表示するものである。
【００２６】
図１に戻って、画像メモリ１０は、スキャナ５で読み取った画情報を、メモリ送信するために一時的にファイルとして蓄積したり、受信した画情報を、プロッタ６により記録するまでファイルとして一時的に蓄積したりするためのものである。
【００２７】
符号化復号化部１１は、送信画像データを、Ｇ３ファクシミリに適合する、ＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長するものである。
【００２８】
モデム１２は、Ｇ３ファクシミリモデムであり、網制御部１３を介して公衆網に送信するデータを変調する一方、網制御部１３を介して公衆網から受信した信号を復調するものである。また、モデム１２は、入力されたダイヤル番号に対応してＤＴＭＦ信号の送出も行う。網制御部１３は、公衆網に接続されて、回線の直流ループの閉結・解放や、回線の極性反転の検出、回線解放の検出、発信音の検出、ビジートーン（話し中）等のトーン信号の検出、呼出信号の検出等の回線との接続制御や、ダイヤルパルスの生成を行うものである。システムバス１４は、上記各部がデータをやり取りするための信号ラインである。
【００２９】
さて、ヒータ６ａの抵抗負荷に供給されるで電圧が仕向地ごとに変化すると、その発熱量も電圧に比例して変化するため、ヒータ６ａへの供給電力制御は、商用電源の電圧に応じてＯＮ／ＯＦＦの比率を変化させる等の仕向地ごとに異なる制御が必要となる。しかし、そのために、接続された商用電源の電圧を検出するための専用回路をＰＳＵ７に設けるのは、コスト高となる。
【００３０】
また、時間を１１：００ＰＭというように１２時間制で扱うか、または、２３：００というように２４時間制で扱うかの時間制御が仕向地ごとに異なるため、仕向地ごとに異なる時間制御が必要となる。
【００３１】
また、選択可能な言語が、仕向地が日本なら日本語と英語というように、言語制御のために選択可能な言語が仕向地ごとに異なるため、仕向地ごとに異なる選択可能言語を設定する必要がある。
【００３２】
本発明を実施するための最良の形態では、図４に示すように、仕向地域と国コードとを対応付けた地域／国コード対応テーブル３ｃをフラッシュＲＯＭ３に予め記憶しておく。同図において、国コードは仕向地に相当し、仕向地域は、商用電源電圧、時間制、選択可能言語が共通な仕向地を代表的に表したものである。
【００３３】
仕向地域「フランス」は、仕向地「フランス」に対応する国コード「FRANCE」に対応している。
【００３４】
仕向地域「欧州」は、仕向地「ドイツ」に対応する国コード「GERMANY」、同様に、「イギリス」に対応する「UK」、「イタリア」に対応する「ITALY」、「オーストリア」に対応する「AUSTRIA」「ベルキー」に対応する「BELGIUM」、「デンマーク」に対応する「DENMARK」、「フィンランド」に対応する「FINLAND」、「アイルランド」に対応する「IRELAND」、「ノルウェー」に対応する「NORWAY」、「スウェーデン」に対応する「SWEDEN」、「スイス」に対応する「SWITZERLAND」、「ポルトガル」に対応する「PORTUGAL」、「オランダ」に対応する「NETHERLAND」、「スペイン」に対応する「SPAIN」、「イスラエル」に対応する「ISRAEL」、「南アフリカ」に対応する「SOUTH AFRICA」、「トルコ」に対応する「TURKEY」、「ギリシャ」に対応する「GREECE」にそれぞれ対応してる。
【００３５】
仕向地域「北米」は、仕向地「カナダ」に対応する国コード「CANADA」、仕向地「アメリカ」に対応する国コード「USA」にそれぞれ対応している。
【００３６】
仕向地域「アジア」は、仕向地「アジア」に対応する国コード「ASIA」、同様に「香港」に対応する「HONGKONG」、「オーストラリア」に対応する「AUSTRALIA」、「ニュージーランド」に対応する「NEW ZEALAND」、「シンガポール」に対応する「SINGAPORE」、「マレーシア」に対応する「MALAYSIA」にそれぞれ対応している。
【００３７】
仕向地域「日本」は、仕向地「日本」に対応する国コード「JAPAN」に対応している。仕向地域「中国」は、仕向地「中国」に対応する国コード「CHINA」に対応している。仕向地域「台湾」は、仕向地「台湾」に対応する国コード「FORMOSA」に対応している。
【００３８】
また、図５に示すように、仕向地域と、その仕向地域で使用される商用電源電圧値に対応するヒータ制御手順が２００Ｖ系であるか、または、１００Ｖ系であるかを対応付けて記憶した地域／ヒータ制御手順対応テーブル３ｄをフラッシュＲＯＭ３に記憶している。
【００３９】
また、図６に示すように、仕向地域と、その仕向地域で選択可能な言語種を対応付けて記憶した地域／選択可能な言語対応テーブル３ｅをフラッシュＲＯＭ３に記憶している。
【００４０】
また、図７に示すように、仕向地域と、その仕向地域で使用される時間制が２４時間制または１２時間制のいずれであるかを対応付けて記憶した地域／時間制対応テーブル３ｆを選択可能な言語対応テーブル３ｅをフラッシュＲＯＭ３に記憶している。
【００４１】
なお、各国コードに対応する仕向地別に商用電源電圧、選択可能言語、時間制をテーブル化してもよいが、共通する仕向地をグループ化して１つの仕向地域として、仕向地域別に商用電源電圧、選択可能言語、時間制をテーブル化することで、各テーブルを簡略化でき、新たな仕向地を地域／国コード対応テーブルの特定の仕向地域と対応付けて追加登録すれば、地域／ヒータ制御手順対応テーブル３ｄ、地域／選択可能言語対応テーブル３ｅ、及び、地域／時間制対応テーブル３ｆについては変更することなく柔軟に対応できる。
【００４２】
以上の構成で、ファクシミリ装置１は、図８に示す国コード設定処理手順を行う。同図に示す手順は、装置の出荷時や、装置が仕向地に設置されてから行われるものである。
【００４３】
同図において、システム制御部２は、操作表示部９の［ファンクション］キー９ｆの押下操作と、テンキー９ａによる番号「１０」の押下操作の組合せにより、国コード設定モードが起動されるかを監視している（判断１０１のＮｏループ）。起動されると（判断１０１のＹｅｓ）、地域／国コード対応テーブル３ｃに登録された全国コードのうちの１つを選択し（処理１０２）、表示器９ｈに、図９に示す表示Ｄ１を行う（処理１０３）。図９においては、国コード設定モードである旨と、現在選択されている国コードと、次の国コードを選ぶには［↓］キー９ｇｄを押下し、前の国コードを選ぶには［↑］キー９ｇｕを押下し、現在選択されている国コードを承認するのであれば、［Ｙｅｓ］キー９ｂを押下すべきことを示す。
【００４４】
そして、［↓］キー９ｇｄ、［↑］キー９ｇｕ、または、［Ｙｅｓ］キー９ｂが押下されるまで待ち（判断１０４のＮｏ、判断１０５のＮｏ、判断１０６のＮｏループ）、［↓］キー９ｇｄが押下された場合には（判断１０４のＹｅｓ）、地域／国コード対応テーブル３ｃに登録された全国コードのうちの処理１０２、処理１０７または処理１０８で選択された国コードの次の国コードを選択し（処理１０７）、処理１０３に戻る。
【００４５】
［↑］キー９ｇｕが押下された場合には（判断１０５のＹｅｓ）、地域／国コード対応テーブル３ｃに登録された全国コードのうちの処理１０２、処理１０７または処理１０８で選択された国コードの前の国コードを選択し（処理１０８）、処理１０３に戻る。
【００４６】
［Ｙｅｓ］キー９ｂが押下された場合には（判断１０６のＹｅｓ）、処理１０２、処理１０７、または、処理１０８で選択された国コードを設定国コード３ａとして、フラッシュＲＯＭ３に記憶する。
【００４７】
また、ファクシミリ装置１は、図１０に示す言語選択処理手順を行う。同図に示す手順は、装置の出荷時や、装置が仕向地に設置されてから行われるものである。
【００４８】
同図において、システム制御部２は、操作表示部９の［ファンクション］キー９ｆの押下操作と、テンキー９ａによる番号「１１」の押下操作の組合せにより、言語選択モードが起動されるかを監視している（判断２０１のＮｏループ）。起動されると（判断２０１のＹｅｓ）、ＲＯＭ３から設定国コード３ａを読み出し（処理２０２）、地域／国コード対応テーブルと照合して対応する仕向地域を特定し（処理２０３）、その特定した仕向地域に、地域／選択可能言語対応テーブルにおいて対応する選択言語群を参照する（処理２０４）。
【００４９】
そして、参照している選択言語群のうちの１つの言語名を選択し（処理２０５）、表示器９ｈに、図１１に示す表示Ｄ２を行う（処理２０６）。図１１においては、言語設定モードである旨と、現在選択されている言語名と、次の言語を選ぶには［↓］キー９ｇｄを押下し、前の国コードを選ぶには［↑］キー９ｇｕを押下し、現在選択されている国コードを承認するのであれば、［Ｙｅｓ］キー９ｂを押下すべきことを示す。
【００５０】
そして、［↓］キー９ｇｄ、［↑］キー９ｇｕ、または、［Ｙｅｓ］キー９ｂが押下されるまで待ち（判断２０７のＮｏ、判断２０８のＮｏ、判断２０９のＮｏループ）、［↓］キー９ｇｄが押下された場合には（判断１０４のＹｅｓ）、処理２０４で参照している言語群のうちの処理２０５、処理２１０または処理２１１で選択された言語の次の言語名を選択し（処理２１０）、処理２０６に戻る。
【００５１】
［↑］キー９ｇｕが押下された場合には（判断２０８のＹｅｓ）、処理２０４で参照している言語群のうちの処理２０５、処理２１０または処理２１１で選択された言語の前の言語名を選択し（処理２１１）、処理２０６に戻る。
【００５２】
［Ｙｅｓ］キー９ｂが押下された場合には（判断２０８のＹｅｓ）、処理２０５、処理２１０、または、処理２１１で選択された言語を設定言語３ｂとして、フラッシュＲＯＭ３に記憶する。
【００５３】
次に、ファクシミリ装置１におけるヒータ制御手順について図１２を参照して説明する。
【００５４】
同図において、システム制御部２は、ヒータ制御を開始するのに先だって、フラッシュＲＯＭ３から設定国コード３ａを読み出し（処理３０１）、地域／国コード対応テーブル３ｃと照合して対応する仕向地域を特定し（処理３０２）、その特定した仕向地域を更に、地域／ヒータ制御手順対応テーブル３ｄと照合して対応する、２００Ｖ系または１００Ｖ系のいずれかの制御手順を選択する（処理３０３）。それらの各制御手順は、フラッシュＲＯＭ３に予め記憶されているものであり、制御手順の選択は、各電圧用の制御パラメータテーブルの変更により容易に行える。
【００５５】
そして、処理３０３で選択された、国コードとして設定された仕向地の商用電源電圧に適合するヒータ制御手順により、ＰＳＵ７のＯＮ／ＯＦＦ回路を制御することにより、ヒータ６ａへの供給電力を制御する（処理３０４）。
【００５６】
次に、ファクシミリ装置１における表示制御手順について図１３を参照して説明する。
【００５７】
同図において、システム制御部２は、表示制御を開始するのに先だって、フラッシュＲＯＭ３から設定国コード３ａを読み出し（処理４０１）、地域／国コード対応テーブル３ｃと照合して対応する仕向地域を特定し（処理４０２）、その特定した仕向地域を更に、地域／時間制対応テーブル３ｆと照合して対応する時間制を特定すると共に（処理４０３）、フラッシュＲＯＭ３の設定言語３ｂを確認して（処理４０４）、対応する時間制と設定言語で表示器９ｈへの表示処理を行う（処理４０５）。
【００５８】
処理４０５における表示処理により表示器９ｈに表示される表示画面の一例を図１４に示す。同図に示すものは、設定言語３ｂが「日本語」で、時間制が「２４時間制」の場合のもので、システム制御部２は、設定言語３ｂの設定に応じた日本語のフォントで表示を行うと共に、設定国コード３ａに対応する「２４時間制」で、時計回路８から読み出した現在時刻（図においては「１５：１２」）を表示する。
【００５９】
処理４０５における表示処理により表示器９ｈに表示される表示画面の別例を図１５に示す。同図に示すものは、設定言語３ｂが「英語」で、時間制が「２４時間制」の場合のもので、システム制御部２は、設定言語３ｂの設定に応じた英語のフォントで表示を行うと共に、設定国コード３ａに対応する「２４時間制」で、時計回路８から読み出した現在時刻（図においては「１５：１２」）を表示する。
【００６０】
処理４０５における表示処理により表示器９ｈに表示される表示画面の更なる別例を図１６に示す。同図に示すものは、設定言語３ｂが「英語」で、時間制が「１２時間制」の場合のもので、システム制御部２は、設定言語３ｂの設定に応じた英語のフォントで表示を行うと共に、設定国コード３ａに対応する「１２時間制」で、時計回路８から読み出した現在時刻（図においては「３：１２ＰＭ」）を表示する。
【００６１】
このように、システム制御部２は、表示制御において時間制制御及び言語制御も併せて行う。
【００６２】
以上説明したように、本発明を実施するための最良の形態によれば、仕向地に対応する国コードを設定することで、当該仕向地に適合するヒータ制御、時間制御を行うことができ、また、当該仕向地に適合する選択可能言語種を設定することができる。
【００６３】
なお、以上説明した本発明を実施するための最良の形態においては、本発明をファクシミリ装置に適用したが、複写機や、その他通装置に対しても本発明の適用は可能である。
【図面の簡単な説明】
【００６４】
【図１】本発明を実施するための最良の形態に係るファクシミリ装置のブロック構成を示す図である。
【図２】本発明を実施するための最良の形態に係るファクシミリ装置のフラッシュＲＯＭの記憶内容について示す図である。
【図３】本発明を実施するための最良の形態に係るファクシミリ装置の操作表示部の、本発明を実施するための最良の形態と直接関係する部分以外は図示を省略した配置構成例を示す図である。
【図４】地域／国コード対応テーブルの具体的な内容について示す図である。
【図５】地域／ヒータ制御手順対応テーブルの具体的な内容について示す図である。
【図６】地域／選択可能言語対応テーブルの具体的な内容について示す図である。
【図７】地域／時間制対応テーブルの具体的な内容について示す図である。
【図８】本発明の実施形態に係るファクシミリ装置における国コード設定処理手順について示すフローチャートである。
【図９】図８に示す処理手順における表示例について示す図である。
【図１０】本発明の実施形態に係るファクシミリ装置における言語設定処理手順について示すフローチャートである。
【図１１】図１０に示す処理手順における表示例について示す図である。
【図１２】本発明の実施形態に係るファクシミリ装置におけるヒータ制御手順について示すフローチャートである。
【図１３】本発明の実施形態に係るファクシミリ装置における表示制御手順について示すフローチャートである。
【図１４】本発明の実施形態に係るファクシミリ装置における表示例について示す図である。
【図１５】本発明の実施形態に係るファクシミリ装置における表示例について示す図１４とは別の図である。
【図１６】本発明の実施形態に係るファクシミリ装置における表示例について示す図１４、図１５とは別の図である。
【符号の説明】
【００６５】
１  ファクシミリ装置
２  システム制御部
３  フラッシュＲＯＭ
４  ＲＡＭ
５  スキャナ
６  プロッタ
６ａ  ヒータ
７  ＰＳＵ
８  時計回路
９  操作表示部
９ａ  テンキー
９ｂ  ［Ｙｅｓ］キー
９ｃ  ［Ｎｏ］キー
９ｄ  ［ストップ］キー
９ｅ  ［スタート］キー
９ｆ  ［ファンクション］キー
９ｇ  カーソルキー群
９ｇｄ  ［下矢印］キー
９ｇｌ  ［左矢印］キー
９ｇｒ  ［右矢印］キー
９ｇｕ  ［上矢印］キー
９ｈ  表示器
１０  画像メモリ
１１  符号化復号化部
１２  モデム
１３  網制御部
１４  システムバス
【図１】
2005137030.tif 000003
【図２】
2005137030.tif 000004
【図３】
2005137030.tif 000005
【図４】
2005137030.tif 000006
【図５】
2005137030.tif 000007
【図６】
2005137030.tif 000008
【図７】
2005137030.tif 000009
【図８】
2005137030.tif 000010
【図９】
2005137030.tif 000011
【図１０】
2005137030.tif 000012
【図１１】
2005137030.tif 000013
【図１２】
2005137030.tif 000014
【図１３】
2005137030.tif 000015
【図１４】
2005137030.tif 000016
【図１５】
2005137030.tif 000017
【図１６】
2005137030.tif 000018